(57)【特許請求の範囲】
【請求項１】
チューブを介して物を収納した袋内の空気を吸い出すためのポンプを備えた空気吸い出し装置であって、前記ポンプは、ベース上に設置されるシーソーと、中間部に仕切部材を有していて前記ベース上に対設された支持板間において支持され、前記仕切部材によって内部が２つの気密室に仕切られるシリンダーとから成り、前記２つの気密室にはそれぞれ、前記チューブの分岐端が逆止弁を介して接続されると共に排気手段が設置され、前記シーソーの各端部からはワイヤーが延び、前記各ワイヤーの先端は前記仕切部材又は前記シリンダーのいずれか一方の両側面に連結され、以て前記シーソーのシーソー運動に伴って前記仕切部材又は前記シリンダーの前記一方が往復駆動可能にされ、前記往復運動によって前記２つの気密室内の空気の出入がなされることを特徴とする袋からの空気吸い出し装置。
【請求項２】
前記仕切部材は、前記シリンダーを貫いて前記支持板間に渡されたピストンロッドに固定されたピストンで、前記シリンダーは、前記ピストンロッドに移動可能に支持され、前記シーソーの各端部から延びるワイヤーの先端は、前記シリンダーの両側面に連結される、請求項１に記載の袋からの空気吸い出し装置。
【請求項３】
前記仕切部材は、前記シリンダーを貫いて前記支持板間に移動可能に渡されたピストンロッドに固定されたピストンで、前記シリンダーは前記支持板間に固定され、前記シーソーの各端部から延びるワイヤーの先端は、前記ピストンロッドを介して前記仕切部材の両側面に連結される、請求項１に記載の袋からの空気吸い出し装置。
【請求項４】
前記シリンダーはジャバラ式であって前記支持板間に固定され、前記仕切部材は、前記支持板間に渡されたスライドガイド上を移動するスライド台を有する通気壁であって前記ジャバラ式シリンダーの中間に位置し、前記シーソーの各端部から延びるワイヤーの先端は、前記スライド台の両側面に連結される、請求項１に記載の袋からの空気吸い出し装置。
【請求項５】
前記シリンダーはジャバラ式であって前記支持板間に固定され、前記仕切部材は、前記ジャバラ式シリンダーの中間に位置してそこに支持される通気ブロックで、前記シーソーの各端部から延びるワイヤーの先端は、前記通気ブロックの両側面に連結され、前記通気ブロックは前記各気密室との間において単一方向に通気させる弁を備えている、請求項１に記載の袋からの空気吸い出し装置。
【請求項６】
前記各気密室内に、緩衝スプリングが配備された、請求項１乃至４のいずれかに記載の袋からの空気吸い出し装置。
【発明の詳細な説明】
【技術分野】
【０００１】
本発明は、シュレッダー裁断紙、梱包塵、紙屑等の職場や一般家庭から出されるゴミを収納したゴミ袋、あるいは、野菜等を詰めた袋等の袋内の空気を吸い出して、その嵩を減少させるための袋からの空気吸い出し装置に関するものである。
【背景技術】
【０００２】
家庭や職場等からは、毎日大量のゴミが出される。ゴミはその回収のために袋詰めされるが、例えばシュレッダー裁断紙や梱包塵、紙屑等の場合は、袋内の半分以上は空気であって、大きく膨らんで嵩張り、取扱いにくくて廃棄処理に手間がかかり、集塵車での回収・輸送効率が悪い。また、生鮮野菜等の物品を袋詰めして移送、保管するような場合にも、嵩張り防止、鮮度保持のために空気抜きする要請がある。
【発明の開示】
【発明が解決しようとする課題】
【０００３】
本発明は、上述したように、シュレッダー裁断紙等の紙ゴミ等を回収に際して袋詰めする場合、大量の空気が一緒に詰め込まれるために嵩張り、集塵車での回収・輸送効率を低下させていたこと等に鑑みてなされたもので、本発明は、簡易な構成で手軽に使用できて、ゴミや生鮮品等を詰めた袋から効率よく空気を吸い出して当該袋をコンパクト化でき、以て、その回収・輸送・保管効率を向上させることができる袋からの空気吸い出し装置を提供することを課題とする。
【特許文献１】特開平６−２８６８０１号公報
【課題を解決するための手段】
【０００４】
上記課題を解決するための請求項１に記載の発明は、チューブを介して物を収納した袋内の空気を吸い出すためのポンプを備えた空気吸い出し装置であって、前記ポンプは、ベース上に設置されるシーソーと、中間部に仕切部材を有していて前記ベース上に対設された支持板間において支持され、前記仕切部材によって内部が２つの気密室に仕切られるシリンダーとから成り、前記２つの気密室にはそれぞれ、前記チューブの分岐端が逆止弁を介して接続されると共に排気手段が設置され、前記シーソーの各端部からはワイヤーが延び、前記各ワイヤーの先端は前記仕切部材又は前記シリンダーのいずれか一方の両側面に連結され、以て前記シーソーのシーソー運動に伴って前記仕切部材又は前記シリンダーの前記一方が往復駆動可能にされ、前記往復運動によって前記２つの気密室内の空気の出入がなされることを特徴とする袋からの空気吸い出し装置である。
【０００５】
一実施形態においては、前記仕切部材は、前記シリンダーを貫いて前記支持板間に渡されたピストンロッドに固定されたピストンで、前記シリンダーは、前記ピストンロッドに移動可能に支持され、前記シーソーの各端部から延びるワイヤーの先端は、前記シリンダーの両側面に連結される。
【０００６】
一実施形態においては、前記仕切部材は、前記シリンダーを貫いて前記支持板間に移動可能に渡されたピストンロッドに固定されたピストンで、前記シリンダーは前記支持板間に固定され、前記シーソーの各端部から延びるワイヤーの先端は、前記ピストンロッドを介して前記仕切部材の両側面に連結される。
【０００７】
一実施形態においては、前記シリンダーはジャバラ式であって前記支持板間に固定され、前記仕切部材は、前記支持板間に渡されたスライドガイド上を移動するスライド台を有する通気壁であって前記ジャバラ式シリンダーの中間に位置し、前記シーソーの各端部から延びるワイヤーの先端は、前記スライド台の両側面に連結される。
【０００８】
一実施形態においては、前記シリンダーはジャバラ式であって前記支持板間に固定され、前記仕切部材は、前記ジャバラ式シリンダーの中間に位置してそこに支持される通気ブロックで、前記シーソーの各端部から延びるワイヤーの先端は、前記通気ブロックの両側面に連結され、前記通気ブロックは前記各気密室との間において単一方向に通気させる弁を備えている。
【発明の効果】
【０００９】
簡易な構成で職場や一般家庭において手軽に使用でき、ゴミを詰め込んだ袋をゴミ収集所に出す前に、また、生鮮品等を袋詰めして移動・保管する前に、袋から空気を吸い出すことによってかなりコンパクト化することができ、以てその取扱いを便ならしめて、集塵車による回収・輸送効率、生鮮品等の保管効率等を向上させ得る効果がある。
【発明を実施するための最良の形態】
【００１０】
本発明の好ましい実施の形態について、添付図面に依拠して説明する。先ず、図１乃至図５に示す第１の実施形態について説明するに、図１は、本発明に係る袋からの空気吸い出し装置を構成するポンプを示す一部切截正面図で、そのポンプは足踏み式のものである。図中１は支持スタンドで、ベース２と、ベース２の両側に立設された支持板３、４と、支持板３、４の上面間に渡された天板５とから成る。
【００１１】
支持板３、４間には、中間部に仕切部材である静止ピストン７が取り付けられたピストンロッド６が渡され、ピストンロッド６に可動シリンダー８が、摺動可能に設置される。即ち、可動シリンダー８の両側面９、１０の中心部にピストンロッド６が、気密性を保持しつつ摺動可能に挿通される。静止ピストン７は可動シリンダー８内に位置し、その周面に配設されたＯリング１１が可動シリンダー８の内周面に接圧し、以て可動シリンダー８内を２つの気密室１２、１３に仕切る。
【００１２】
可動シリンダー８の各側面９、１０には、それぞれ吸入弁１６と排出弁１７とが設置される。排出弁１７は、各気密室１２、１３内の空気を大気中に排出するための逆止弁である。吸入弁１６には、後述する袋保持具から延びるチューブ２６が分岐した分岐チューブ２７が接続される。吸入弁１６は、分岐チューブ２７からの空気を各気密室１２、１３内に導入するための逆止弁である。図４は、各弁１６、１７を介しての空気の流れを示す図である。
【００１３】
１８は両端部にペダル１９、１９ａを有するシーソーで、その中間部が、ベース２上に設置された軸支板２０に軸支され、人の踏圧に応じてシーソー運動をする。シーソー１８の両側にはそれぞれワイヤー２１、２２の一端が固定され、各ワイヤー２１、２２の他端は、支持板３、４の上端部に設置された１又は複数の滑車２３、２４に掛回された後、可動シリンダー８の側面９、１０の、通例、上端部に固定される。
【００１４】
各気密室１２、１３内には、それぞれピストンロッド６を取り巻くように緩衝スプリング１４、１５が配装される。各緩衝スプリング１４、１５の内端側はそれぞれ静止ピストン７に接圧し、外端側はそれぞれ可動シリンダー８の側面９、１０に接圧する。
【００１５】
袋４０内に挿入されるチューブ２６の先端には、必要に応じて袋保持具が取り付けられる。この袋保持具は袋４０の開口部をまとめて保持するためのもので、例えば支持筒２８とこれに結合されるソケット２９とから成る。支持筒２８は円筒形であって、その外周面に螺旋ガイド２９を備える。
【００１６】
好ましくはソケット２９は二重筒状で、その外筒３０は、内周面に螺旋ガイド２９に対応する突条３１を有していて、突条３１を螺旋ガイド２９に係止させることによりネジ付け可能である。また、その内筒３２は細く下方に突出し、上記ネジ付けに伴ない、支持筒内壁との間に間隙を保持して支持筒２８内に延びる。内筒３２は、窄められた袋４０の開口部における通気を確保するためのものである。必要に応じ、内筒３２の上端部内周面にメネジ３３が切られる。このメネジ３３は、チューブ２６先端部のプラグ３４を固定するために利用される。プラグ３４の固定はネジ手段に限らず、水道の蛇口とホースとの接続に利用されている押し嵌め方式、その他種々のワンタッチカプラー手段を採用することができる。
【００１７】
なお、袋保持具は、通気路を確保した状態で袋４０の開口部をまとめて支持し、且つ、チューブ２６のプラグ３４を固定するためのもので、そのような作用を果たすものであれば、図示したものに限られないこと言うまでもない。
【００１８】
袋４０内の空気の吸い出し作業に当っては、先ず、袋４０の開口部をまとめて下方から支持筒２８内に通し、支持筒２８から出た部分を外方に拡げ、支持筒２８の外周面に沿って翻転させる（図５）。
【００１９】
次いで、ソケット２９を支持筒２８にネジ付ける等して固定する。その際、袋４０の上記翻転部分は、支持筒２８とソケット２９の間に挟み込まれることになる。また、ソケット２９の内筒３２が、袋４０の支持筒２８内にある部分内に延びることにより、そこに通気路が確保される。そして、ソケット２９にプラグ３４を接続するが、プラグ３４は、予めソケット２９に固定しておくこともできる。
【００２０】
次に、袋４０内の空気を吸い出すための足踏み式ポンプの作用について説明する。先ず、図１に示す中立位置から、図において右側のペダル１９に足を載せて体重をかけると、シーソー１８が軸支板２０に軸支されて時計回りに回動する（手で操作することもできる）。それに伴ない、ワイヤー２１を介して可動シリンダー８が引張られ、ピストンロッド６に沿って図において右方向に移動する（図２）。この可動シリンダー８の移動は、緩衝スプリング１５の作用で緩やかに行われる（図２において左側の緩衝スプリング１５）。その際、他方の緩衝スプリング１４は、踏圧を補助するよう作用する。
【００２１】
可動シリンダー８がこのように移動する一方、静止ピストン７は移動しないので、その右側の気密室１２が次第に拡がっていき、気密室１３内の負圧が高まるので、吸入弁１６が開き、チューブ２６からの吸気が行われる。また、反対側の気密室１３は次第に狭まり、それに伴なって室内の圧力が高まるので、室内の空気は、排出弁１７を押し開いて大気中に放出される。
【００２２】
次いで、左側のペダル１９ａに体重移動させると、上記と逆の動きで、可動シリンダー８はピストンロッド６に沿って逆方向に移動し、気密室１２が狭まると共に、気密室１３が拡がっていき、気密室１３内が負圧になって気密室１３側の吸入弁１６から吸気が行われ、逆に、気密室１２の側の排出弁１７から排気が行われる。
【００２３】
以後上記体重移動を反復することにより、気密室１２、１３のいずれかの側の吸入弁１６からの吸気が行われる結果、常時、分岐チューブ２７、２７及びチューブ２６内は負圧状態となり、袋４０内の空気は迅速に吸い出され、袋４０は小さく窄む。そこで、開口部をまとめて紐で縛る等の方法で、袋４０の開口を塞ぐ。
【００２４】
次に、図６に示す第２の実施形態について説明する。図６は、第２の実施形態を簡略化して示すもので、そこにおいては、シリンダー８ａは支持板３、４間に固定されて移動せず、ピストンロッド６ａ及びピストン７ａの方がシリンダー８ａに対して移動する。そして、シーソー１８から延びるワイヤー２１、２２は、ピストンロッド６ａの両端に、好ましくは、２つの滑車２３、２３ａ（２４、２４ａ）を介して接続される。それ以外の構成は、第１の実施形態に準ずる。
【００２５】
この第２の実施形態においては、踏圧によってシーソー１８を駆動するに伴ない、ピストンロッド６ａ及びピストン７ａが左方に（図６（Ｂ））、あるいは、右方に（図６（Ｃ））移動し、以て、上記同様に気密室１２、１３を拡縮して、袋４０内の空気を吸い出す。
【００２６】
続いて、図７乃至図９に示される第３の実施形態について説明する。この第３の実施形態は、気密室４２、４３がジャバラ式である点で上記各実施形態と異なるが、同一参照符号が付されている部分は上記実施形態の場合と同じ構成である。
【００２７】
図７において４４は、支持枠１の両側板間に渡されたスライドガイドで、その上にスライド台４５が摺動自在に設置される。スライド台４５には、シーソー１８の両側から延びるワイヤー２１、２２の各端が固定される。ワイヤー２１、２２は、スライドガイド４４の両端に設置された滑車４６、４７に掛け回される。
【００２８】
スライド台４５には、通気壁４８が一体に設置され、このスライド台４５と通気壁４８によって仕切部材が構成される。通気壁４８にはチューブ２６が接続され、チューブ２６と各気密室４２、４３とは、吸入弁１６を介して接続される。また、通気壁４８には、排出弁１７を介して各気密室４２、４３と連通する排気口４９が配備される。
【００２９】
好ましくは、気密室４２、４３内にそれぞれ緩衝スプリング１４、１５が配備される。緩衝スプリング１４、１５は、内端面が通気壁４８に固定され、外端面は気密室４２、４３の端面に固定される。この場合の緩衝スプリング１４、１５は、気密室４２、４３のジャバラ形状の保形機能と伸縮動作の緩衝機能とを果たす。気密室４２、４３は支持枠１内に収まってそこに支持されるが、その外端面を支持枠１の側板に接着固定してもよい。
【００３０】
この実施形態の場合も、上記同様にして、袋保持具を介してチューブ２６を袋４０に接続する。そして、図７に示す中立位置から、例えば図において右側のペダル１９に足を載せて体重をかけ、シーソー１８を時計回りに回動させると、ワイヤー２１を介してスライド台４５が右方向に引張られるが、スライド台４５は移動自在であるため、スライドガイド４４上を右方向に移動する。
【００３１】
スライド台４５が右方向に移動すると、ジャバラが畳まれて気密室４２が押し縮まり、気密室４２内の空気が排出弁１７、排気口４９を通って大気中に放出される（図８）。その際気密室４３の方は強制的に拡げられ、室内は負圧状態になり、チューブ２６及び吸入弁を１６を介して袋４０内の空気が吸い出され、気密室４３内に流入する。
【００３２】
次いで、左側に体重移動してスライド台４５を逆方向に移動させると、今度は気密室４３の方が潰れて気密室４２の方が拡がり、袋４０内の空気は気密室４２の方へ流入する（図９）。
以後上記動作を何度か反復すれば、袋４０内の多くの空気が吸い出され、袋４０の嵩はかなり小さなものとなってくる。
【００３３】
続いて、図１０乃至図１３によって第４の実施形態について説明する。この実施形態も上記同様の足踏み式で、ベース２と、支持板３、４と、天板５から成る支持スタンド１を備え、また、軸支板２０に軸支されたシーソー１８を備える。
【００３４】
支持板３、４間には、仕切部材である通気ブロック５１を介して一対のジャバラ式気密室５２、５３が設置される。各気密室５２、５３は、それぞれ端部が支持板３、４に固定され、内端部が通気ブロック５１に固定される。気密室５２と気密室５３は、それぞれ通気ブロック５１を介して大気及びチューブ２６と連通する。
【００３５】
即ち、通気ブロック５１は吸気口５４を有し、吸気口５４に連通する空気路５５は、逆止弁５６、５６ａを介して気密室５２、５３に連通する。また、気密室５２、５３は、それぞれ逆止弁５７、５７ａを介してチューブ２６に連通する。
【００３６】
通気ブロック５１にはワイヤー５８が挿通固定され、ワイヤー５８の一半は気密室５２内を通り抜け、支持板３外に出て滑車５９を介して延び、その端部はシーソー１８の一端部に固定される。また、ワイヤー５８の他半は気密室５３内を通り抜け、支持板４外に出て滑車６０を介して延び、その端部はシーソー１８の他端部に固定される。
【００３７】
この実施形態においては、シーソー１８に踏圧をかけてシーソー運動をさせると、ワイヤー５８が図１０において左右いずれかの方向に引張られる。ワイヤー５８は通気ブロック５１に固定されているため、ワイヤー５８の上記動きに伴ない、通気ブロック５１も一体となって左右いずれかの方向に移動する。通気ブロック５１がこのように移動することにより、気密室５２、５３の一方（図１２において気密室５３）が引き延ばされ、他方が押し縮められる。
【００３８】
気密室５２が押し縮められると、気密室５２内の空気は、逆止弁を通過し、チューブ２６に押し出される。一方、気密室５３は、引き延ばされることにより内部に負圧が生じ、逆止弁５６ａが開いて、吸気口５４から大気が導入される（図１２）。
【００３９】
次いで、シーソー１８の逆側に踏圧をかけると、気密室５２と気密室５３が逆の立場となり、気密室５３が押し縮められて内部の空気がチューブ２６に押し出され、気密室５２内に大気が導入される。
【００４０】
更に、本発明の変形例として、以下に述べる実施形態を挙げることができる。先ず、図１４乃至図１６に示された第５の実施形態について説明する。この実施形態は、第４の実施形態におけるワイヤー５８の駆動を、シーソー１８を用いての足踏み式ではなく、クランク機構を用いて手回し式にしたものである。
【００４１】
この実施形態におけるワイヤー５８の端部は、それぞれ２つの滑車６１、６１ａを介して延びてワイヤー連結具６２の端部に固定される。ワイヤー連結具６２の中間部には連接棒６３の端部が枢着され、連接棒６３の他端は、クランク板６４に偏心的に取り付けられる。クランク板６４の軸６４ａは、ベース２上に立設された軸支板６５の上部において軸支される。軸６４ａにはアーム６６が設置され、このアーム６６を手回しすることにより、クランク板６４が回転する。
【００４２】
かかる構成においてアーム６６を回転させると、連接棒６３のクランク板６４取付側端部が軸６４ａを中心に回転し、それに伴なってワイヤー連結具６２取付側端部が往復動し、図において左右方向にワイヤー５８を引張る。かくして上記第４の実施形態と同様にして、気密室５２、５３からチューブ２６内に空気を送り出す。
【００４３】
次に、図１７乃至図１９によって、第６の実施形態について説明する。この実施形態は、通気ブロック５１と同様の通気ブロック７１の両側にジャバラ式気密室７２、７３を配設し、気密室７２、７３から通気ブロック７１を貫いて芯棒７４を配したものである。芯棒７４の端部は、それぞれ気密室７２、７３の外端を閉塞する端板７５、７６に固定支持され、通気ブロック７１に対しては摺動自在にされる。端板７５、７６の少なくとも一方には、握り部７７が取り付けられる。
【００４４】
この実施形態の場合は、一方の手で通気ブロック７１を持ち、他方の手で握り部７７を持って引き（図１８）、又は押す（図１９）。握り部７７を引いたときには、気密室７３が押し縮められて気密室７２が引き伸ばされ、握り部７７を押したときには、気密室７２が押し縮められて気密室７３が引き伸ばされる。かくして握り部７７を押し引きする都度、気密室７２、７３からチューブ２６に空気が供給される。
【００４５】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではなく、その対象も、ゴミ袋や生鮮品を詰めた袋に限らず、その他種々の物品を詰めた袋に適用可能であることは言うまでもない。
【図面の簡単な説明】
【００４６】
【図１】本発明に係る装置の第１の実施形態におけるポンプを示す一部切截正面図である。
【図２】本発明に係る装置の第１の実施形態におけるポンプの第１動作時の状態を示す図である。
【図３】本発明に係る装置の第１の実施形態におけるポンプの第２動作時の状態を示す図である。
【図４】本発明に係る装置の第１の実施形態における空気の流れを示す図である。
【図５】本発明に係る装置における袋保持具の構成及び使用法を示す図である。
【図６】本発明に係る装置の第２の実施形態におけるポンプの動作を示す簡略図である。
【図７】本発明に係る装置の第３の実施形態におけるポンプを示す一部切截正面図である。
【図８】本発明に係る装置の第３の実施形態におけるポンプの第１動作時の状態を示す図である。
【図９】本発明に係る装置の第３の実施形態におけるポンプの第２動作時の状態を示す図である。
【図１０】本発明に係る装置の第４の実施形態におけるポンプを示す一部切截正面図である。
【図１１】本発明に係る装置の第４の実施形態におけるポンプを示す一部切截側面図である。
【図１２】本発明に係る装置の第４の実施形態におけるポンプの第１動作時の状態を示す図である。
【図１３】本発明に係る装置の第４の実施形態におけるポンプの第２動作時の状態を示す図である。
【図１４】本発明に係る装置の第５の実施形態におけるポンプを示す正面図である。
【図１５】本発明に係る装置の第５の実施形態におけるポンプの第１動作時の状態を示す図である。
【図１６】本発明に係る装置の第５の実施形態におけるポンプの第２動作時の状態を示す図である。
【図１７】本発明に係る装置の第６の実施形態におけるポンプを示す一部切截正面図である。
【図１８】本発明に係る装置の第６の実施形態におけるポンプの第１動作時の状態を示す図である。
【図１９】本発明に係る装置の第６の実施形態におけるポンプの第２動作時の状態を示す図である。
【符号の説明】
【００４７】
１    支持枠
２    ベース
３    支持板
４    支持板
５    天板
６    ピストンロッド
６ａ  ピストンロッド
７    静止ピストン
８    可動シリンダー
８ａ  可動シリンダー
９    側面
１０    側面
１１    Ｏリング
１２    気密室
１３    気密室
１４    緩衝スプリング
１５    緩衝スプリング
１６    吸入弁
１７    排出弁
１８    シーソー
１９    ペダル
１９ａ  ペダル
２０    軸支板
２１    ワイヤー
２２    ワイヤー
２３    滑車
２３ａ  滑車
２４    滑車
２４ａ  滑車
２５    袋保持具
２６    チューブ
２７    分岐チューブ
２８    支持筒
２９    螺旋ガイド
３０    外筒
３１    突条
３２    内筒
３３    メネジ
３４    プラグ
４０    袋
４２    気密室
４３    気密室
４４    スライドガイド
４５    スライド台
４６    滑車
４７    滑車
４８    通気壁
４９    排気口
【図１】
0004440231.tif 000002
【図２】
0004440231.tif 000003
【図３】
0004440231.tif 000004
【図４】
0004440231.tif 000005
【図５】
0004440231.tif 000006
【図６】
0004440231.tif 000007
【図７】
0004440231.tif 000008
【図８】
0004440231.tif 000009
【図９】
0004440231.tif 000010
【図１０】
0004440231.tif 000011
【図１１】
0004440231.tif 000012
【図１２】
0004440231.tif 000013
【図１３】
0004440231.tif 000014
【図１４】
0004440231.tif 000015
【図１５】
0004440231.tif 000016
【図１６】
0004440231.tif 000017
【図１７】
0004440231.tif 000018
【図１８】
0004440231.tif 000019
【図１９】
0004440231.tif 000020